(57)【要約】【課題】玄関以外のテラスや勝手口、ベランダ等から屋外に出たいときに、その場に履物があればすぐに出られるが、常に屋外に置いておくことは雨で濡れたり埃で汚れたりと都合が悪い。【解決手段】体の負担が少なく出来るように立ったままの姿勢で、履物全体に被せたカバーに手取っ手を付け、取扱が容易なようにする。かつ強風時などに飛ばされないように重りをつけ、さらに梅雨時などに履物が濡れた時に、雨が入らない位置でカバーの低部に通気孔を設ける。【選択図】図１
0003102946.tif 000002
【実用新案登録請求の範囲】
蓋状の長方形カバーは透明の樹脂等を使用し、かつ強風時に飛ばされないように重りを付ける。梅雨時等履物が濡れたときに備えて低部に通気孔を設け、かつ腰を曲げずに取り扱える取っ手を付けたことを特徴とする蓋状の長方形カバー。
【考案の詳細な説明】
【技術分野】
【０００１】  この考案は、勝手口、ベランダ等出入口の屋外に置く履物のカバーに関するものである。
【背景技術】
【０００２】  履物に被せたカバーを取り除くのに腰を曲げて使用しなければならなかったため、高齢者には身体負担が大きく、かつ中に何があるか分からない状態であったため、家庭やホテルなど不特定多数の者が使用したい場所での使用には不向きであった。（例えば公開特許平成１０−５００３に類似しない）
【考案が解決しようとする課題】
【０００３】  これらは次のような問題点があった。（イ）段ボール箱などは雨で濡れると形状が変わったり強風時は風で飛ばされることがある。（ロ）腐食性金属は化学変化による劣化で美観が損なわれる事がある。（ハ）歩行面に置かれたカバーは汚れやすく、取り扱うたびに手が汚れることがある。（ニ）低位置での使用は体位を一旦低位にし、使用時は高位にしなければならず、身体の大きな行動を伴い、身体の負担が大きい。  本考案の目的は、勝手口やベランダ等屋外に置く履物を雨や埃等から汚れを防ぐ履物カバーを提供するものである。
【課題を解決するための手段】
【０００４】  上記の目的を達成するため、本実用新案の長方形カバーは、履物が収納できる蓋型のもので、形状は固定せずデザイン出来るものとし、屋外の美観の一翼を担えるもので、履物を見る事が出来る本体は透明の樹脂等を使用し、立ったままの姿勢で長方形カバーを移動することが出来るように長方形カバーにアームを付け、アームには持ちやすいように握りを設ける。
【考案を実施するための最良の形態】
【０００５】  以下、本考案の実施の形態を図に基づいて説明する。【０００６】  図１は、斜視図であり、１は履物を被せて雨や露から守るため、上部に屋根勾配を付けた透明の樹脂カバーである。２は立ったままの姿勢で履物カバーを履物から外したり被せたりする事が出来る取っ手である。３は取っ手とカバー本体を連結するためのアー厶で、アームの周囲に波形のデザインを入れたものである。４は風で飛ばされないための重りである。５は梅雨期に使用して濡れた履物を守るための通気孔。６は履物。７はアームを本体に取り付けるためのネジ。８は重りを付けるためのネジ。【０００７】  図２は、側面図であり、１は履物を被せて雨や露から守るため、上部に屋根勾配を付けた透明の樹脂カバーである。２は立ったままの姿勢で履物カバーを履物から外したり被せたりする事が出来る取っ手である。３は取っ手とカバー本体を連結するためのアームで、アームの周囲に波形のデザインを入れたものである。４は風で飛ばされないための重りである。６は履物。７はアームを本体に取り付けるためのネジ。８は重りを付けるためのネジ。【０００８】  図３は、平面図であり、１は履物を被せて雨や露から守るため、上部に屋根勾配を付けた透明の樹脂カバーである。２は立ったままの姿勢で履物カバーを履物から外したり被せたりする事が出来る取っ手である。３は取っ手とカバー本体を連結するためのアームで、アームの周囲に波形のデザインを入れたものである。６は履物。７はアームを本体に取り付けるためのネジ。
【考案の効果】
【０００９】  本体１を透明の樹脂等で作成することにより、中にある履物を直接見ることが出来るため、一般家庭では勝手口、ベランダ等に設置しておくことにより誰でも利用できる。又ホテル等のベランダに設置しておけば宿泊客に一々使用方法を説明しなくても見るだけで理解できるので利便性が高まる。  又立ったままの姿勢で使用できる位置に取っ手があるため、しゃがんだりする必要がないため身体負担が少ない。  履物カバーで履物が覆われているため、屋外に置いても雨や埃で汚れることがない。  高層建物のベランダに置いても重りが付いているため、風で飛ばされることもない。  樹脂等で作成することにより、時代とともに利用者の好みにあった外形にする事が出来る。  本体１に耐候性のシールを張ることにより、美観の一翼を果たすこともできる。  本体低部に通気孔を設けることにより、梅雨時等に使用して濡れた履物を守ることが出来る。
【図面の簡単な説明】
【図１】本考案の斜視図である。
【図２】本考案の側面図である。
【図３】本考案の平面図ある。
【図３】本考案のＡ−Ａ線断面図である。
【符号の説明】
１  本体２  握り３  握り化粧アーム４  重り５  通気孔６  履物７  アームを本体に取り付けるためのネジ８  重りを付けるためのネジ
【図１】
0003102946.tif 000003
【図２】
0003102946.tif 000004
【図３】
0003102946.tif 000005
【図４】
0003102946.tif 000006
【手続補正書】
【提出日】平成15年10月24日(2003.10.24)
【手続補正１】
【補正対象書類名】実用新案登録請求の範囲
【補正対象項目名】全文
【補正方法】変更
【補正の内容】
【実用新案登録請求の範囲】
【請求項１】
蓋状の長方形カバーは透明のの樹脂等を使用し、履物がすっぽり入る余裕の大きさで、強風時に飛ばされないように蓋状の長方形カバーに重りを付けている。
梅雨時等に履物が濡れたときに備えて蓋状の長方形カバー低部に通気孔を設け、蓋状の長方形カバーに取っ手を設け、腰を曲げず取扱が出来ることを特徴とした、取っ手付き屋外履物カバーである。
【手続補正２】
【補正対象書類名】明細書
【補正対象項目名】０００９
【補正方法】変更
【補正の内容】
【０００９】
【考案の効果】
屋外履物カバー本体１を透明の樹脂等で作成することにより、中にある履物を直接見ることが出来るため、一般家庭では勝手口、ベランダ等に設置しておくことにより誰でも利用できる。又ホテル等のベランダに設置しておけば宿泊客に一々使用方法を説明しなくても済む。又立ったままの姿勢で使用できる位置に取っ手があるため、しゃがんだりする必要がないため身体負担が少ない。
取っ手付き屋外履物カバーで履物が覆われているため、屋外に置いても雨や埃で汚れることがない。
高層建吻のベランダに置いても重りが付いているため、風で飛ばされることもない。
樹脂等で形成し、本体低部に通気孔を設けることにより、梅雨時等に使用して濡れた履物を守ることが出来る。
【図面の簡単な説明】
【図１】本考案の斜視図である。
【図２】本考案の側面図である。
【図３】本考案の平面図である。
【図４】本考案の拡大Ａ−Ａ線断面図である。
【符号の説明】
１  本体
２  握り
３  握り化粧アーム
４  重り
５  通気孔
６  履物
７  履物
８  重り取り付けネジ
0003102946.tif 000007
0003102946.tif 000008
0003102946.tif 000009
0003102946.tif 000010
【手続補正書】
【提出日】平成16年2月26日(2004.2.26)
【手続補正１】
【補正対象書類名】実用新案登録請求の範囲
【補正対象項目名】全文
【補正方法】変更
【補正の内容】
【実用新案登録請求の範囲】
【請求項１】
蓋状の長方形カバーは透明の樹脂等を使用し、履物がすっぽり入る余裕の大きさで、強風時に飛ばされないように蓋状の長方形カバーに重りを付けている。
梅雨時等に履物が濡れたときに備えて蓋状の長方形カバー底部に通気孔を設け、蓋状の長方形カバーに取っ手を設け、腰を曲げず取扱いが出来る。
以上のことを特徴とした、取って付き屋外履物カバー。
【手続補正２】
【補正対象書類名】手続補正書
【補正対象項目名】手続補正２
【補正方法】変更
【補正の内容】
【手続補正２】
【補正対象書類名】明細書
【補正対象項目名】０００９
【補正方法】変更
【補正の内容】
【０００９】
【考案の効果】
取っ手付き屋外履物カバー本体１を透明の樹脂等を使用することにより、中にある履物を直接見ることが出来るため、一般家庭では勝手口、高層建物のベランダ等に設置しておくことにより誰でも利用できる。
立ったままの姿勢で使用できる位置に取っ手があるので、しゃがんだりする必要がないため身体負担が少ない。
履物は取っ手付き屋外履物カバーで覆われているため、屋外に置いても雨や埃で汚れることもなく、かつ高層建物の風当たりの強いところに
置いても、重りが付いているため、風で飛ばされることもない、取っ手付き屋外履物カバーは、本体底部に通気孔が設けてあるため、梅雨時等に使用して濡れた履物を守ることが出来る。


【手続補正３】
【補正対象書類名】手続補正書
【補正対象項目名】手続補正４
【補正方法】追加
【補正の内容】
【手続補正４】
【補正対象書類名】図面
【補正対象項目名】全図
【補正方法】変更
【補正の内容】
【図１】
0003102946.tif 000011
【図２】
0003102946.tif 000012
【図３】
0003102946.tif 000013
【図４】
0003102946.tif 000014